(57)【要約】【課題】黒表示時の発光を抑え、周囲が暗い環境においてもコントラストの高い視認性のよい画像表示が可能なプラズマディスプレイ装置を提供する。【解決手段】蛍光体として表面が正に帯電する蛍光体を用いたプラズマディスプレイパネル（たとえば緑色蛍光体としてβ−アルミナ結晶構造を有するアルミン酸塩系化合物蛍光体あるいはイットリウム酸化物系化合物蛍光体）に対して、初期化期間前半部には、走査電極と維持電極との間の放電を抑えながら、走査電極を陽極としデータ電極を陰極とする第１の初期化放電を行い、初期化期間後半部には、走査電極を陰極とし維持電極とデータ電極とを陽極とする第２の初期化放電を行う。【選択図】図３
2005148360.tif 000002
【特許請求の範囲】
【請求項１】
１フィールドを初期化期間、書込み期間、維持期間を有する複数のサブフィールドで構成し、各サブフィールドを発光または非発光制御することにより画像表示するプラズマディスプレイ装置であって、
プラズマディスプレイパネルは、
第１の基板上に互いに平行に配置した走査電極および維持電極と、
放電空間を挟んで前記第１の基板に対向配置される第２の基板上に前記走査電極と交差する方向に配置したデータ電極と、
前記走査電極および前記維持電極と前記データ電極とにより構成される複数の放電セルをそれぞれ区画するように前記第２の基板上に設けた隔壁と、
前記隔壁内に塗布されかつ表面が正に帯電する蛍光体とを備え、
前記複数のサブフィールドのうち少なくとも１つのサブフィールドの初期化期間は第１の初期化期間と第２の初期化期間とを有し、
前記第１の初期化期間には、前記走査電極と前記維持電極との間の放電を抑えながら、前記走査電極を陽極とし前記データ電極を陰極とする第１の初期化放電を行い、
前記第２の初期化期間には、前記走査電極を陰極とし前記データ電極を陽極とする第２の初期化放電を行うプラズマディスプレイ装置。
【請求項２】
前記表面が正に帯電する蛍光体は、β−アルミナ結晶構造を有するアルミン酸塩系化合物蛍光体あるいはイットリウム酸化物系化合物蛍光体よりなる緑色蛍光体と、β−アルミナ結晶構造を有するアルミン酸塩系化合物蛍光体よりなる青色蛍光体と、イットリウム酸化物系化合物蛍光体よりなる赤色蛍光体との３色の蛍光体であることを特徴とする請求項１に記載のプラズマディスプレイ装置。
【請求項３】
前記第１の初期化期間には、前記走査電極に上り傾斜波形電圧を印加するとともに前記維持電極に前記走査電極と前記維持電極との間の放電を抑えるための電圧を印加し、
前記第２の初期化期間には、前記走査電極に下り傾斜波形電圧を印加するとともに前記維持電極に前記走査電極に対して前記維持電極が陽極となる初期化放電を発生させるための電圧を印加することを特徴とする請求項１または請求項２に記載のプラズマディスプレイ装置。
【発明の詳細な説明】
【技術分野】
【０００１】
本発明は、壁掛けテレビや大型モニタ等に用いられるプラズマディスプレイ装置に関する。
【背景技術】
【０００２】
プラズマディスプレイ装置は、大画面、薄型、軽量であることを特徴とする視認性に優れた表示装置である。
【０００３】
プラズマディスプレイ装置に用いられるプラズマディスプレイパネル（以下、ＰＤＰあるいはパネルと略記する）として代表的な交流面放電型パネルは、対向配置された前面板と背面板との間に多数の放電セルが形成されている。前面板は、走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向、密封され、内部の放電空間に放電ガスが封入されている。このような構成のパネルにおいて、各放電セル内でガス放電により紫外線を発生させ、この紫外線で赤、緑、青、各色の蛍光体を励起発光させてカラー表示を行っている。
【０００４】
上記の各色の蛍光体に用いられる化合物としては、たとえば、赤色を発光し正に帯電する（Ｙ，Ｇｄ）ＢＯ3：Ｅｕ3+、Ｙ2Ｏ3：Ｅｕ3+、緑色を発光し負に帯電するＺｎ2ＳｉＯ4：Ｍｎ2+、青色を発光し正に帯電するＢａＭｇＡｌ10Ｏ17：Ｅｕ2+の組み合わせが知られている（たとえば、非特許文献１参照）。
【０００５】
パネルを駆動する方法としてはサブフィールド法、すなわち、１フィールド期間を複数のサブフィールドに分割した上で、発光させるサブフィールドの組み合わせによって階調表示を行う方法が一般的である。ここで、各サブフィールドは初期化期間、書込み期間、維持期間および消去期間を有する。
【０００６】
初期化期間では、すべての放電セルで一斉に初期化放電を行い、続く書込み動作のために必要な壁電荷を形成する。書込み期間では、走査電極に順次走査パルスを印加するとともに、データ電極には表示すべき画像信号に対応した書込みパルスを印加し、走査電極とデータ電極との間で選択的に書込み放電を起こし、選択的な壁電荷形成を行う。続く維持期間では、走査電極と維持電極との間に所定の回数の維持パルスを印加し、書込み放電による壁電荷形成を行った放電セルを選択的に放電させ発光させる。そして、消去期間では、それ以前の個々の放電セルに対する壁電荷の履歴を消すための消去放電を行う。
【非特許文献１】Ｏ  ｐｌｕｓ  Ｅ・１９９６年２月  Ｎｏ．１９５  ｐｐ９９−１００
【発明の開示】
【発明が解決しようとする課題】
【０００７】
上述したように、青色蛍光体と赤色蛍光体との表面の電荷は正帯電になっている。しかしながら、Ｚｎ2ＳｉＯ4：Ｍｎからなる緑色蛍光体は、製造上ＺｎＯに対するＳｉＯ2の割合が、化学量論比である２ＺｎＯ／ＳｉＯ2よりも多い１．５ＺｎＯ／ＳｉＯ2となっているため、Ｚｎ2ＳｉＯ4：Ｍｎ結晶の表面がＳｉＯ2で覆われて蛍光体表面が負に帯電している。ＰＤＰにおいて負に帯電している蛍光体と正に帯電している蛍光体とが混在していると、パネルの駆動時、放電ばらつきが大きくなったり、異常放電の発生、あるいは放電すべき放電セルが放電しないといった問題がある。そのために従来の駆動方法においては、放電セルの壁電圧を調整するための初期化放電をある程度強く発生せざるを得ず、初期化放電にともなう発光量が増えて黒表示における輝度が上がり、画像表示時のコントラストが低下するという課題があった。
【０００８】
上記課題について、従来のプラズマディスプレイ装置における駆動方法とともに詳細に説明する。図６は、従来のＰＤＰの駆動電圧波形図である。初期化期間の前半部においては、データ電極Ｄ1〜Ｄmおよび維持電極ＳＵ1〜ＳＵnを０（Ｖ）に保持し、走査電極ＳＣ1〜ＳＣnには、維持電極ＳＵ1〜ＳＵnに対して放電開始電圧以下の電圧Ｖｉ1から放電開始電圧を超える電圧Ｖｉ2に向かって緩やかに上昇する傾斜波形電圧を印加する。この間に、すべての放電セルにおいて、走査電極ＳＣ1〜ＳＣnから維持電極ＳＵ1〜ＳＵnに１回目の微弱な初期化放電が起こり、走査電極ＳＣ1〜ＳＣn上に負の壁電圧が蓄積されるとともに維持電極ＳＵ1〜ＳＵn上には正の壁電圧が蓄積される。さらに、走査電極ＳＣ1〜ＳＣnからデータ電極Ｄ1〜Ｄmにも１回目の微弱な初期化放電が起こり、データ電極Ｄ1〜Ｄm上に正の壁電圧が蓄積される。ここで電極上の壁電圧とは電極を覆う誘電体層、保護層あるいは蛍光体層上に蓄積された壁電荷により生じる電圧をあらわす。
【０００９】
このとき、データ電極Ｄ1〜Ｄmは陰極となるが、青色蛍光体と赤色蛍光体の表面は正帯電する傾向があるため放電しやすく、これらの蛍光体層が形成された放電セルの放電開始電圧は低く放電遅れも小さい。しかしながら、緑色蛍光体の表面は負に帯電する傾向が強いので、緑色蛍光体層が形成された放電セルの放電開始電圧は高くなりまた放電遅れも大きい。このように放電開始電圧の高い放電セルについても初期化放電を確実に発生させるために、高い初期化電圧波形を走査電極ＳＣ1〜ＳＣnに印加する必要がある。加えて、放電遅れの大きい放電セルを安定して放電させるために、放電遅れの小さい走査電極−維持電極間の初期化放電を並行して発生させ、このとき生じた荷電粒子（プライミング）の助けを借りて走査電極−データ電極間の初期化放電を発生させている。
【００１０】
このように、初期化期間前半部における初期化放電は、走査電極ＳＣ1〜ＳＣnに高い初期化電圧波形を印加するだけでなく、放電の安定化のために走査電極−維持電極間の初期化放電を並行して発生させるために、放電にともなう発光量が大きくなる。
【００１１】
続く初期化期間の後半部においては、維持電極ＳＵ1〜ＳＵnを正電圧Ｖｅに保ち、走査電極ＳＣ1〜ＳＣnには、維持電極ＳＵ1〜ＳＵnに対して放電開始電圧以下となる電圧Ｖｉ3から放電開始電圧を超える電圧Ｖｉ4に向かって緩やかに下降する傾斜波形電圧を印加する。この間に、再びすべての放電セルにおいて、維持電極ＳＵ1〜ＳＵnから走査電極ＳＣ1〜ＳＣnに２回目の微弱な初期化放電が起こり、走査電極ＳＣ1〜ＳＣn上の負の壁電圧および維持電極ＳＵ1〜ＳＵn上の正の壁電圧が弱められる。また、データ電極Ｄ1〜Ｄmと走査電極ＳＣ1〜ＳＣnとの間にも２回目の微弱な放電が起こり、データ電極Ｄ1〜Ｄm上の正の壁電圧は書込み動作に適した値に調整される。
【００１２】
このときの初期化放電にともなう輝度は１．２ｃｄ／ｃｍ2でありコントラスト比は５００：１であった。このうち、初期化期間の前半部における輝度の占める割合が４割程度、後半部における輝度の割合が６割程度であった。また走査電極−維持電極間の放電にともなう輝度とデータ電極−走査電極間の放電にともなう輝度を分離することは難しいが、それぞれの放電にともなう放電電流あるいは放電がデータ電極−走査電極間に空間的に局在すること等から類推すると走査電極−維持電極間の放電にともなう輝度が走査電極−データ電極間の放電にともなう輝度の３倍程度であると考えられる。なお、このときの初期化放電のための電圧Ｖｉ1〜Ｖｉ4はそれぞれ１８０（Ｖ）、４００（Ｖ）、１８０（Ｖ）、−１００（Ｖ）と設定した。
【００１３】
このように従来のパネルを用いた従来の駆動方法においては、黒を表示する放電セルに対しても、走査電極−維持電極間、走査電極−データ電極間ともにサブフィールド毎に２回の初期化放電を発生させるため、黒表示時の輝度が高くなりコントラストが低下する。特に、暗室等、暗い環境下でパネルを表示する場合には、傾斜波形電圧を用いた微弱な初期化放電による発光でさえも目立つほど輝度が高く、黒表示の視認性が悪いという課題があった。
【００１４】
本発明はこのような課題に鑑みなされたもので、黒表示時の発光を抑え、周囲が暗い環境においてもコントラストの高い視認性のよい画像表示が可能なプラズマディスプレイ装置を提供することを目的とする。
【課題を解決するための手段】
【００１５】
本発明のプラズマディスプレイ装置は、１フィールドを初期化期間、書込み期間、維持期間を有する複数のサブフィールドで構成し、各サブフィールドを発光または非発光制御することにより画像表示するプラズマディスプレイ装置であって、プラズマディスプレイパネルは、第１の基板上に互いに平行に配置した走査電極および維持電極と、放電空間を挟んで第１の基板に対向配置される第２の基板上に走査電極と交差する方向に配置したデータ電極と、走査電極および維持電極とデータ電極とにより構成される複数の放電セルをそれぞれ区画するように第２の基板上に設けた隔壁と、隔壁内に塗布されかつ表面が正に帯電する蛍光体とを備え、複数のサブフィールドのうち少なくとも１つのサブフィールドの初期化期間は第１の初期化期間と第２の初期化期間とを有し、第１の初期化期間には、走査電極と維持電極との間の放電を抑えながら走査電極を陽極としデータ電極を陰極とする第１の初期化放電を行い、第２の初期化期間には、走査電極を陰極としデータ電極を陽極とする第２の初期化放電を行うことを特徴とする。この構成により、黒表示時の発光を抑え、周囲が暗い環境においてもコントラストの高い視認性のよい画像表示が可能なプラズマディスプレイ装置を提供することができる。
【００１６】
また、表面が正に帯電する蛍光体としては、β−アルミナ結晶構造を有するアルミン酸塩系化合物蛍光体あるいはイットリウム酸化物系化合物蛍光体よりなる緑色蛍光体と、β−アルミナ結晶構造を有するアルミン酸塩系化合物蛍光体よりなる青色蛍光体と、イットリウム酸化物系化合物蛍光体よりなる赤色蛍光体との３色の蛍光体を用いてもよい。これらの蛍光体を用いると、表面が正に帯電する特性を確実にもたせることができる。
【００１７】
また、第１の初期化期間には、走査電極に上り傾斜波形電圧を印加するとともに維持電極に走査電極と維持電極との間の放電を抑えるための電圧を印加し、第２の初期化期間には、走査電極に下り傾斜波形電圧を印加するとともに維持電極に走査電極に対して維持電極が陽極となる初期化放電を発生させるための電圧を印加してもよい。これにより、比較的単純な駆動電圧波形を用いて黒表示時の発光を抑えることができる。
【発明の効果】
【００１８】
本発明によれば、黒表示時の発光を抑え、周囲が暗い環境においてもコントラストの高い視認性のよい画像表示が可能なプラズマディスプレイ装置を提供することができる。
【発明を実施するための最良の形態】
【００１９】
（実施の形態）
以下、本発明の実施の形態におけるプラズマディスプレイ装置について、図面を用いて説明する。
【００２０】
図１は本発明の実施の形態に用いるＰＤＰの構造を示す分解斜視図である。ＰＤＰ１は、放電空間を挟んで対向配置された前面板２と背面板３とを有している。前面板２は、前面ガラス基板４上に走査電極５と維持電極６とが互いに平行に対をなして複数対形成されている。そして、これらの走査電極５と維持電極６とを覆うように誘電体層７が形成され、この誘電体層７の表面を覆うように保護層８が形成されている。背面板３は、背面ガラス基板９上にデータ電極１０が走査電極５と立体交差する方向に互いに平行に複数形成され、このデータ電極１０を覆うように誘電体層１１が形成されている。そして、この誘電体層１１上にデータ電極１０と平行に隔壁１２が複数形成され、誘電体層１１の表面と隔壁１２の側面とに赤色、緑色、青色の蛍光体を塗布した蛍光体層１３Ｒ、１３Ｇ、１３Ｂが形成されている。こうして１対の走査電極５と維持電極６とからなる表示電極対とデータ電極１０との交差部の放電空間に赤色、緑色、青色の放電セルが形成される。なお、放電空間にはアルゴン、キセノン等の放電ガスが封入されている。
【００２１】
次にここで用いられる蛍光体について説明する。緑色蛍光体としては、元来正の表面電荷をもつβ−アルミナ構造を有するアルミン酸塩系化合物蛍光体の母材組成ｘＢａＯ・ｙＭｇＯ・ｚＡｌ2Ｏ3・ａＭｎＯを用いるか、または、ｘＢａＯ・ｙＡｌ2Ｏ3・ｚＭｎＯを用いて緑色の発光センターとなるＭｎを添加することで蛍光体の表面電荷を正としたものを用いる。あるいは、ＹＢＯ3：Ｔｂのような正帯電の緑色蛍光体を用いる場合にはＴｂの発光色が黄緑なのでアルミン酸塩系化合物の緑色蛍光体と混合させた蛍光体を用いる。これら緑色蛍光体は、ＢａＯ不足（ＢａＯの比率１モル以下）のβ−アルミナ結晶構造を有するアルミン酸塩であり、このｘＢａＯ・ｙＭｇＯ・ｚＡｌ2Ｏ3・ａＭｎＯやｘＢａＯ・ｙＡｌ2Ｏ3・ｚＭｎＯのβ−アルミナ結晶構造は層状構造を有する発光効率の高い結晶系であるため、輝度の高い蛍光体とすることができる。
【００２２】
ここで蛍光体作成方法の一例として、アルミン酸塩系化合物の緑色蛍光体の固相反応法による製法について説明する。原料として、ＢａＣＯ3、ＭｇＣＯ3、ＭｎＣＯ3、Ａｌ2Ｏ3等の炭酸化物や酸化物を、まず、蛍光体の母材組成であるｘＢａＯ・ｙＭｇＯ・ｚＡｌ2Ｏ3・ａＭｎＯやｘＢａＯ・ｙＡｌ2Ｏ3・ｚＭｎＯに配合し、焼結促進剤としてのフラックス（ＡｌＦ3、ＮＨ4Ｃｌ）を少量加えて１１００℃〜１５００℃で焼成する。その後、これを粉砕およびふるい分けし、次に１２００℃〜１５００℃で中性（Ｎ2中）あるいは弱還元性（１％Ｈ2、９９％Ｎ2中）の雰囲気中で焼成し、再び粉砕とふるい分けを行い平均粒径が０．２μｍ〜３μｍの蛍光体粒子にする。
【００２３】
また、ｘＢａＯ・ｙＭｇＯ・ｚＡｌ2Ｏ3・ａＭｎＯの組成においては、ｘの値（ＢａＯの量）が０．７≦ｘ≦０．９５、ｙの値（ＭｇＯの量）が０．０５≦ｙ≦０．２、ｚの値（Ａｌ2Ｏ3の量）が５．０≦ｚ≦６．０、ａの値（ＭｎＯの量）が０．０５≦ａ≦０．２の組成範囲においてβ−アルミナ結晶構造を得やすい。一方、ｘＢａＯ・ｙＡｌ2Ｏ3・ｚＭｎＯの組成においては、ｘの値（ＢａＯの量）が０．７≦ｘ≦０．９５、ｙの値（Ａｌ2Ｏ3の量）が５≦ｙ≦６、ｚの値（ＭｎＯの量）が０．０５≦ｚ≦０．２の組成範囲においてβ−アルミナ結晶構造を得やすい。また、発光センターであるＭｎの母体結晶中の元素に対する置換量は５モル％〜２０モル％であることが、輝度および輝度劣化防止の面から好ましい。ｘ，ｙ，ｚ，ａの組成範囲が上記範囲外になると、β−アルミナの単一相ができず、それ以外の不純物相ができるため、輝度の低下や紫外線による劣化が激しい。
【００２４】
また、パネル作成工程中の各種の熱処理工程（蛍光体焼成、パネル封着）やパネル駆動中に発生する１４７ｎｍの紫外線に対して生じる輝度劣化を小さくするには、この蛍光体をさらに酸化雰囲気（Ｎ2−Ｏ2）中で、温度６００℃〜１０００℃で焼成し（好ましくは６５０℃〜９５０℃）、Ｍｎイオンの２価の一部を３価にした緑色蛍光体を作成する。
【００２５】
青色蛍光体としては、Ｂａ1-xＭｇＡｌ10Ｏ17：ＥｕxもしくはＢａ1-x-yＳｒyＭｇＡｌ10Ｏ17：Ｅｕxであらわされる化合物を用いており、ｘの値が０．０５≦ｘ≦０．２、ｙの値を０．０５≦ｙ≦０．５としている。さらに、赤色蛍光体としては、（Ｙ，Ｇｄ）1-xＥｕxＢＯ3あるいは（Ｙ1-xＥｕx）2Ｏ3であらわされる化合物を用い、ｘの値は０．０１≦ｘ≦０．３としている。これらの青色蛍光体、赤色蛍光体は上述の緑色蛍光体と同様に正に帯電する特性をもっている。
【００２６】
なお、緑色蛍光体については、元来負帯電であるＺｎ2ＳｉＯ4：Ｍｎに正帯電の酸化物（ＭｇＯ、Ａｌ2Ｏ3等）をコーティングして正帯電化してもよく、あるいは正帯電である緑色蛍光体（ＹＢＯ3：Ｔｂ等）を混合して使用してもよい。
【００２７】
図２は本発明の実施の形態に用いるＰＤＰの電極配列図である。列方向にｍ列のデータ電極Ｄ1〜Ｄm（図１のデータ電極１０）が配列され、行方向にｎ行の走査電極ＳＣ1〜ＳＣn（図１の走査電極５）とｎ行の維持電極ＳＵ1〜ＳＵn（図１の維持電極６）とが交互に配列されている。そして、１対の走査電極ＳＣi、維持電極ＳＵi（ｉ＝１〜ｎ）と１つのデータ電極Ｄj（ｊ＝１〜ｍ）とを含む放電セル１５が放電空間内にｍ×ｎ個形成されている。
【００２８】
次に、ＰＤＰを駆動するための駆動方法とそのタイミングについて説明する。図３は、本発明の実施の形態におけるＰＤＰの駆動電圧波形図である。なお実施の形態においては、１フィールド期間が初期化期間、書込み期間、維持期間および消去期間を有する複数のサブフィールドから構成されている。図３に示すように第１サブフィールドの初期化期間は第１の初期化期間である前半部と第２の初期化期間である後半部との２つの期間を有する。
【００２９】
初期化期間の前半部では、データ電極Ｄ1〜Ｄmを０（Ｖ）、維持電極ＳＵ1〜ＳＵnを電圧Ｖｘに保持する。そして、走査電極ＳＣ1〜ＳＣnにはデータ電極Ｄ1〜Ｄmに対して放電開始電圧を超えない電圧Ｖｉ1’から、データ電極Ｄ1〜Ｄmに対して放電開始電圧を超える電圧Ｖｉ2’に向かって緩やかに上昇する上り傾斜波形電圧を印加する。するとデータ電極Ｄ1〜Ｄmを陰極とする微弱な初期化放電が起こる。そして走査電極ＳＣ1〜ＳＣn上部に負の壁電圧が蓄積されるとともに、データ電極Ｄ1〜Ｄm上部には正の壁電圧が蓄積される。
【００３０】
このとき維持電極ＳＵ1〜ＳＵnに印加されている電圧Ｖｘは走査電極ＳＣ1〜ＳＣnおよびこの傾斜波形電圧が上昇する間に、走査電極ＳＣ1〜ＳＣnと維持電極ＳＵ1〜ＳＵnとの間で放電を発生させないためのものである。実施の形態においては、維持電極ＳＵ1〜ＳＵnへの印加電圧Ｖｘを後述する維持パルス電圧Ｖｓよりもやや低い電圧に設定することにより、走査電極ＳＣ1〜ＳＣnと維持電極ＳＵ1〜ＳＵnとの間の電圧を放電開始電圧未満に抑えている。したがって、初期化期間前半部における発光は走査電極−データ電極間の放電にともなう発光のみであり、僅かな発光量に抑えることができる。
【００３１】
初期化期間の後半部では、データ電極Ｄ1〜Ｄmを０（Ｖ）に保持し、維持電極ＳＵ1〜ＳＵnを正電圧Ｖｅに保つ。そして、走査電極ＳＣ1〜ＳＣnには、維持電極ＳＵ1〜ＳＵnおよびデータ電極Ｄ1〜Ｄmに対して放電開始電圧以下となる電圧Ｖｉ3’から放電開始電圧を超える電圧Ｖｉ4’に向かって緩やかに下降する傾斜波形電圧を印加する。この間に、走査電極ＳＣ1〜ＳＣnと維持電極ＳＵ1〜ＳＵn、データ電極Ｄ1〜Ｄmとの間でそれぞれ微弱な初期化放電が起こる。そして、走査電極ＳＣ1〜ＳＣn上部の負の壁電圧および維持電極ＳＵ1〜ＳＵn上部の正の壁電圧が弱められ、データ電極Ｄ1〜Ｄm上部の正の壁電圧は書込み動作に適した値に調整される。以上により初期化動作が終了する。
【００３２】
書込み期間では、走査電極ＳＣ1〜ＳＣnを一旦Ｖｃに保持する。次に、１行目の走査電極ＳＣ1に走査パルス電圧Ｖａを印加する。このとき同時に、データ電極Ｄ1〜Ｄmのうち１行目に表示すべき画像信号に対応するデータ電極Ｄk（ｋは１〜ｍの整数をあらわす）に正の書込みパルス電圧Ｖｄを印加する。すると、書込みパルス電圧Ｖｄを印加したデータ電極Ｄkと走査電極ＳＣ1との交差部で放電が発生し、対応する放電セルＣ1,kの維持電極ＳＵ1と走査電極ＳＣ1との間の放電に進展する。そして、放電セルＣ1,kの走査電極ＳＣ1上部に正電圧が蓄積され、維持電極ＳＵ1上部に負電圧が蓄積され、１行目の書込み動作が終了する。以下同様の書込み動作をｎ行目の放電セルＣn,kに至るまで行い、書込み動作が終了する。
【００３３】
維持期間では、走査電極ＳＣ1〜ＳＣnおよび維持電極ＳＵ1〜ＳＵnを０（Ｖ）に一旦戻す。その後、走査電極ＳＣ1〜ＳＣnに正の維持パルス電圧Ｖｓを印加する。このとき、書込み放電を起こした放電セルＣi,kにおける走査電極ＳＣi上部と維持電極ＳＵi上部との間の電圧は、書込み期間において走査電極ＳＣi上部および維持電極ＳＵi上部に蓄積された壁電圧に加えて、維持パルス電圧Ｖｓが加算されるので放電開始電圧を超え維持放電が発生する。そして、放電セルＣi,kの走査電極ＳＣi上部に負電圧が蓄積され、維持電極ＳＵi上部に正電圧が蓄積される。以降同様に、走査電極ＳＣ1〜ＳＣnと維持電極ＳＵ1〜ＳＵnとに維持パルスを交互に印加することにより、書込み放電を起こした放電セルＣi,kに対して維持パルスの回数だけ維持放電が継続して行われる。
【００３４】
消去期間では、維持電極ＳＵ1〜ＳＵnに０（Ｖ）からＶｓに向かって緩やかに上昇する傾斜波形電圧を印加する。このとき、維持放電を起こした放電セルにおいて、走査電極と維持電極との間に微弱な消去放電が起こり、それぞれの電極上に蓄積された壁電圧が弱められて維持放電が停止する。
【００３５】
図４は蛍光体の帯電量φと、その蛍光体を用いた放電セルの走査電極−データ電極間の放電開始電圧Ｖｆ、および放電遅れｔとの測定結果を示す。図４（ａ）に示すように、蛍光体の帯電量φは正の帯電量が大きいほど放電開始電圧が低くなり、逆に負の帯電量が大きくなるほど放電開始電圧が高くなる。また、図４（ｂ）に示すように、正の帯電量が大きいほど放電遅れが小さくなり、逆に負の帯電量が大きくなるほど大きくなる傾向がある。今のところこの原因は不明であるが、正に帯電しやすい蛍光体は電子を放出しやすく、蛍光体表面から放出された電子が放電の初期電子（プライミング）として働くために、放電開始電圧を下げ、放電遅れも小さくしているものと考えることができる。
【００３６】
本発明のプラズマディスプレイ装置に用いる蛍光体は図４に示したように、赤色、緑色、青色ともに正に帯電し放電開始電圧も低く揃っているので、初期化放電のための電圧Ｖｉ1’〜Ｖｉ4’を比較的低く設定できる。実施の形態においては電圧Ｖｉ1’〜Ｖｉ4’をそれぞれ１８０（Ｖ）、３６０（Ｖ）、１８０（Ｖ）、−１００（Ｖ）と設定している。また、電圧Ｖｘは１２０（Ｖ）と設定している。なお、上記以外の電圧については従来例と同一であり、Ｖｅ＝１５０（Ｖ）、Ｖｃ＝−１０（Ｖ）、Ｖａ＝−１００（Ｖ）、Ｖｄ＝７０（Ｖ）、Ｖｓ＝１８０（Ｖ）とした。
【００３７】
また、本発明のプラズマディスプレイ装置に用いる蛍光体は赤色、緑色、青色ともに正に帯電し放電遅れも小さいため、初期化期間の前半部において走査電極５−維持電極６間の放電の助け無しに初期化放電を開始することができる。したがって走査電極５−維持電極６間の放電を省略することができて、これにともなう不要な発光無しに走査電極５−データ電極１０間の初期化放電が可能となる。その結果、初期化期間前半部における初期化の輝度を抑えることができ、黒表示時の発光を抑えることができるのでコントラストのよい画像表示が可能となる。実施の形態においては初期化放電にともなう発光が０．３ｃｄ／ｃｍ2となり、暗所におけるコントラスト比２０００：１を実現している。
【００３８】
図５は、本発明の実施の形態におけるプラズマディスプレイ装置の駆動回路ブロック図の一例である。本実施の形態における駆動装置１００は、映像信号処理回路１０１、データ電極駆動回路１０２、タイミング制御回路１０３、走査電極駆動回路１０４および維持電極駆動回路１０５を有している。映像信号および同期信号は、映像信号処理回路１０１に入力される。映像信号処理回路１０１は、映像信号および同期信号にもとづいて、各サブフィールドを点灯するか否かを制御するサブフィールド信号をデータ電極駆動回路１０２に出力する。また、同期信号はタイミング制御回路１０３にも入力される。タイミング制御回路１０３は同期信号にもとづいて、データ電極駆動回路１０２、走査電極駆動回路１０４、維持電極駆動回路１０５にタイミング制御信号を出力する。
【００３９】
データ電極駆動回路１０２は、サブフィールド信号およびタイミング制御信号に応じて、ＰＤＰ１のデータ電極１０（図３のデータ電極Ｄ1〜Ｄm）にパルスを印加する。走査電極駆動回路１０４は、タイミング制御信号に応じて、ＰＤＰ１の走査電極５（図３の走査電極ＳＣ1〜ＳＣn）にパルスを印加し、維持電極駆動回路１０５は、タイミング制御信号に応じて、ＰＤＰ１の維持電極６（図３のＳＵ1〜ＳＵn）にパルスを印加する。データ電極駆動回路１０２、走査電極駆動回路１０４、維持電極駆動回路１０５には電源回路（図示せず）から必要な電力が供給されている。
【００４０】
以上の回路ブロックを備えることによって本実施の形態におけるプラズマディスプレイ装置の駆動回路が構成される。
【産業上の利用可能性】
【００４１】
本発明のプラズマディスプレイ装置は、黒表示時の発光を抑え、周囲が暗い環境においてもコントラストの高い視認性のよい画像表示が可能であり、壁掛けテレビや大型モニタ等に用いられるディスプレイ装置等として有用である。
【図面の簡単な説明】
【００４２】
【図１】本発明の実施の形態に用いるＰＤＰの構造を示す分解斜視図
【図２】同パネルの電極配列図
【図３】同パネルの駆動電圧波形図
【図４】蛍光体の帯電量φと、その蛍光体を用いた放電セルの走査電極−データ電極間の放電開始電圧Ｖｆ、および放電遅れｔとの測定結果を示す図
【図５】本発明の実施の形態におけるプラズマディスプレイ装置の駆動回路ブロック図
【図６】従来のＰＤＰの駆動電圧波形図
【符号の説明】
【００４３】
１    ＰＤＰ
２    前面板
３    背面板
４    前面ガラス基板
５    走査電極
６    維持電極
７    誘電体層
８    保護層
９    背面ガラス基板
１０    データ電極
１１    誘電体層
１２    隔壁
１３Ｒ，１３Ｇ，１３Ｂ    蛍光体層
１５    放電セル
１００    駆動装置
１０１    映像信号処理回路
１０２    データ電極駆動回路
１０３    タイミング制御回路
１０４    走査電極駆動回路
１０５    維持電極駆動回路
【図１】
2005148360.tif 000003
【図２】
2005148360.tif 000004
【図３】
2005148360.tif 000005
【図４】
2005148360.tif 000006
【図５】
2005148360.tif 000007
【図６】
2005148360.tif 000008